(57)【特許請求の範囲】
【請求項１】
グリップ、アイロン部を構成し、一方が他方に対して離接できるように揺動可能な細長い下側バレルと上側バレル、および該上側バレルに対して離接できるように揺動可能なクリップ板を備え、前記下側バレルおよび上側バレルのそれぞれの接合面は、両者協働して毛髪のためのストレーター機能を発揮するためのものであり、一方、前記下側バレルおよび上側バレルのそれぞれの外周面は、両者協働して毛髪のためのカール機能を発揮するためのものであるヘアーアイロンにおいて、前記上側バレルおよびクリップ板はそれぞれの後部部分で、下側バレルの後部部分に支軸により揺動可能に取り付けられており、前記下側バレル、上側バレルおよびクリップ板の後部部分は、前記グリップの先端に納められており、前記下側バレル、上側バレルおよびクリップ板の後部部分を利用して構成されている切替機構であって、前記クリップ板を前記上側バレルおよび前記下側バレルに対して開くことを許容するカール機能設定位置と、前記上側バレルを前記クリップ板とともに前記下側バレルに対して開くことを許容するストレーター機能設定位置との間で切り替えるための切替機構と、前記クリップ板に形成されたレバーとを備え、前記切替機構が前記カール機能設定位置に設定された場合に、前記レバーを所定の方向に回動することで、前記グリップ板を前記上側バレルおよび前記下側バレルに対して開き、前記切替機構が前記ストレーター機能設定位置に設定された場合に、前記レバーを前記所定の方向に回動することで、前記上側バレルを前記クリップ板とともに前記下側バレルに対して開き、前記下側バレルの後部部分は前記グリップに固定されており、前記切替機構は、下側バレルの後部部分に設けられた上下方向に延びる長穴、上側バレルの後部部分に設けられた丸穴、クリップ板の後部部分に設けられた上下方向に延びる長穴、下側バレルの後部部分の長穴と上側バレルの後部部分の丸穴とクリップ板の後部部分の長穴を通って横方向に延びるスイッチバー、およびグリップを形成する壁部に対向して設けられた開口に配置された一対のプッシュボタンを備えており、前記スイッチバーおよび一対のプッシュボタンは、一直線上に並べられ、スイッチバーの両端は一対のプッシュボタンの内側に接触しており、該一対のプッシュボタンの一方をプッシュすることにより、前記スイッチバーを軸方向一方に移動させて、カール機能設定位置およびストレーター機能設定位置の内の一方に設定する一方、他方のプッシュボタンをプッシュすることにより、前記スイッチバーを軸方向他方に移動させて、カール機能設定位置およびストレーター機能設定位置の内の他方に設定するようになっていることを特徴とするヘアーアイロン。
【請求項２】
前記スイッチバーは、通常径部と、複数の縮径部を有し、前記下側バレルの後部部分の長穴は、上部に配置され、スイッチバーの通常径部が納まることのできる丸穴部、および該丸穴部から下方に延び、幅が前記スイッチバーの縮径部の径より僅かに大きく、通常の径部の径より小さい長穴部を有しており、上側バレルの後部部分の丸穴は、スイッチバーの通常径部が納まることのできる径を有しており、そしてクリップ板の後部部分の長穴は、下部に配置され、スイッチバーの通常径部が納まることのできる丸穴部、および該丸穴部から上方に延び、幅が前記スイッチバーの縮径部の径より僅かに大きく、通常径部の径より小さい長穴部を有しており、前記スイッチバーが前記カール機能設定位置にあるとき、該スイッチバーの縮径部がクリップ板の後部部分の長穴の位置に位置して、クリップ板の揺動を可能とし、一方、前記スイッチバーが前記ストレーター機能設定位置にあるとき、該スイッチバーの縮径部が下側バレルの後部部分の長穴の位置に位置して、上側バレルの揺動を可能とするようになっている請求項１のヘアーアイロン。
【発明の詳細な説明】
【技術分野】
【０００１】
本発明は、ヘアーアイロンに関し、さらに詳細には、カール機能とストレート機能を併せ持ったヘアーアイロンに関するものである。
【背景技術】
【０００２】
従来ヘアーアイロンにおいて、円筒状の発熱面に毛髪を巻き付けてカールする施術（カール機能）と、毛髪をストレートに伸ばすために、対向する発熱面で毛髪を挟んで梳く施術（ストレート機能）を行う場合、それぞれの機能のため、１台ずつ専用のヘアーアイロンを準備しなければならなかった。
【０００３】
このため、本体は１つで、発熱部のみを交換できるタイプのヘアーアイロンが提案された。しかしながら、このタイプのヘアーアイロンは、発熱部の交換に手間がかかることと、発熱部が熱い状態では交換ができないという欠点があった。
【０００４】
このような欠点を解消するため、１台のヘアーアイロンで、発熱部を交換することなく、カールとストレートの施術ができるものが、特許第２９３７４９９号で提案され、また実際に市場に出回っている。この特許で提案されたヘアーアイロンは、互いに接離可能な半円形断面の一対のパイプが組み合わされ、一対のパイプの対向面で毛髪を挟みストレート機能を果たし、一対のパイプが組合わさってできた円筒形の外周面に髪押さえ板の助けのもとに毛髪を巻き付けカール機能を果たすものである。
【特許文献１】特許第２９３７４９９号号公報
【０００５】
しかしながら、上記のヘアーアイロンでは、上記一対のパイプのそれぞれが握り部の半部に取り付けられ、この握り部の半部の後端で軸支された構造となっているので、操作が面倒であるという欠点を有している。また、カール機能とストレート機能を切り替えるとき、いちいち握り替えなければならず、面倒であるという欠点もある。さらには、一対のパイプを開くスライドスイッチが、握り部の通常手で握る部分に配置されており、誤って操作してしまう場合がある。このように、誤って操作されると、２つのパイプがバネの力で開くため、思わぬ火傷をする恐れがある。
【発明の開示】
【発明が解決しようとする課題】
【０００６】
そこで、本発明は、操作が容易で、容易にカール機能とストレート機能の切替ができ、またこの切替の誤操作も極力防ぐことができるヘアーアイロンを提供することを目的とするものである。
【課題を解決するための手段】
【０００７】
上記課題は、本発明の下記（１）および（２）の構成のいずれかによるヘアーアイロンにより解決することができる。
（１）  グリップ、アイロン部を構成し、一方が他方に対して離接できるように揺動可能な細長い下側バレルと上側バレル、および該上側バレルに対して離接できるように揺動可能なクリップ板を備え、前記下側バレルおよび上側バレルのそれぞれの接合面は、両者協働して毛髪のためのストレーター機能を発揮するためのものであり、一方、前記下側バレルおよび上側バレルのそれぞれの外周面は、両者協働して毛髪のためのカール機能を発揮するためのものであるヘアーアイロンにおいて、前記上側バレルおよびクリップ板はそれぞれの後部部分で、下側バレルの後部部分に支軸により揺動可能に取り付けられており、前記下側バレル、上側バレルおよびクリップ板の後部部分は、前記グリップの先端に納められており、前記下側バレル、上側バレルおよびクリップ板の後部部分を利用して構成されている切替機構であって、前記クリップ板を前記上側バレルおよび前記下側バレルに対して開くことを許容するカール機能設定位置と、前記上側バレルを前記クリップ板とともに前記下側バレルに対して開くことを許容するストレーター機能設定位置との間で切り替えるための切替機構と、前記クリップ板に形成されたレバーとを備え、前記切替機構が前記カール機能設定位置に設定された場合に、前記レバーを所定の方向に回動することで、前記クリップ板を前記上側バレルおよび前記下側バレルに対して開き、前記切替機構が前記ストレーター機能設定位置に設定された場合に、前記レバーを前記所定の方向に回動することで、前記上側バレルを前記クリップ板とともに前記下側バレルに対して開き、前記下側バレルの後部部分は前記グリップに固定されており、前記切替機構は、下側バレルの後部部分に設けられた上下方向に延びる長穴、上側バレルの後部部分に設けられた丸穴、クリップ板の後部部分に設けられた上下方向に延びる長穴、下側バレルの後部部分の長穴と上側バレルの後部部分の丸穴とクリップ板の後部部分の長穴を通って横方向に延びるスイッチバー、およびグリップを形成する壁部に対向して設けられた開口に配置された一対のプッシュボタンを備えており、前記スイッチバーおよび一対のプッシュボタンは、一直線上に並べられ、スイッチバーの両端は一対のプッシュボタンの内側に接触しており、該一対のプッシュボタンの一方をプッシュすることにより、前記スイッチバーを軸方向一方に移動させて、カール機能設定位置およびストレーター機能設定位置の内の一方に設定する一方、他方のプッシュボタンをプッシュすることにより、前記スイッチバーを軸方向他方に移動させて、カール機能設定位置およびストレーター機能設定位置の内の他方に設定するようになっていることを特徴とするヘアーアイロン。
（２）  前記スイッチバーは、通常径部と、複数の縮径部を有し、前記下側バレルの後部部分の長穴は、上部に配置され、スイッチバーの通常径部が納まることのできる丸穴部、および該丸穴部から下方に延び、幅が前記スイッチバーの縮径部の径より僅かに大きく、通常の径部の径より小さい長穴部を有しており、上側バレルの後部部分の丸穴は、スイッチバーの通常径部が納まることのできる径を有しており、そしてクリップ板の後部部分の長穴は、下部に配置され、スイッチバーの通常径部が納まることのできる丸穴部、および該丸穴部から上方に延び、幅が前記スイッチバーの縮径部の径より僅かに大きく、通常径部の径より小さい長穴部を有しており、前記スイッチバーが前記カール機能設定位置にあるとき、該スイッチバーの縮径部がクリップ板の後部部分の長穴の位置に位置して、クリップ板の揺動を可能とし、一方、前記スイッチバーが前記ストレーター機能設定位置にあるとき、該スイッチバーの縮径部が下側バレルの後部部分の長穴の位置に位置して、上側バレルの揺動を可能とするようになっている上記（１）のヘアーアイロン。
【発明の効果】
【０００８】
本発明のヘアーアイロンにおいては、上記したように、グリップがアイロン部から独立しているので、グリップを握っての本ヘアーアイロンの操作がしやすいという効果がある。また、カール機能設定位置とストレーター機能設定位置との間で切り替えるための切替機構が、グリップの先端部分に設けられているので、切替作業を容易にするとともに、グリップの先端は通常握らない部分であるので、誤操作を極力防止することができる。
【発明を実施するための最良の形態】
【０００９】
以下、添付図面を参照しつつ、本発明の実施の態様によるヘアーアイロンについて説明する。
【００１０】
本発明の実施の態様によるヘアーアイロン１０は、グリップ１２、このグリップの先端に取り付けられた下側バレル１４、およびこの下側バレル１４に後端側で揺動可能に取り付けられた上側バレル１６を備えている。この下側バレル１４と上側バレル１６でアイロン部を構成する。前記下側バレル１４および上側バレル１６は、互いに接合した接合位置（図１参照）と、一方が他方に対して揺動して、互いに離れた離間位置（図２参照）とを取ることができる。上記上側バレル１６は、上記接合位置（図１参照）を取るようバネ（図示せず）によって常時下側バレル１４側に付勢されている。
【００１１】
上記前記下側バレル１４および上側バレル１６のそれぞれの接合面１８、２０（図３参照）は、両者協働して毛髪のためのストレーター機能（毛髪をストレートにする機能）を発揮するためのものであり、一方、前記下側バレル１４および上側バレル１６のそれぞれの外周面２２、２４は、両者協働して毛髪のためのカール機能（毛髪にカールを付ける機能）を発揮するためのものである。図示していないが、通常の発熱体が、上側バレル１６に設けられているが、下側バレル１４にも設けられていてもよい。
【００１２】
前記下側バレル１４の後端側には、前記上側バレル１６の外周面２４に沿って湾曲して延びる細長いクリップ板６８が、揺動可能に取り付けられ、前記上側バレル１６の外周面２４に対して離接可能になっている。このクリップ板６８は、バネ（図示せず）により前記上側バレル１６の外周面２４方向に常時付勢されている。このクリップ板６８の後端には、該クリップ板６８を上記バネの付勢力に抗して前記上側バレル１６の外周面２４から離す方向に揺動させるためのレバー７０が一体的に形成されている。本明細書では、レバー７０をクリップ板６８の一部とする。
【００１３】
本ヘアーアイロン１０は、上記レバー７０が操作されたとき、上記クリップ板６８を開くようにする（図４参照）カール機能設定位置と、上側バレル１６（クリップ板６８とともに）開くようにする（図２参照）ストレーター機能設定位置との間で切り替えるための切替機構７２を備えている。
【００１４】
図５および図６に示されているように、上記上側バレル１６およびクリップ板６８は二股状となったそれぞれの後部部分１６ａ、１６ｂ、６８ａ、６８ｂで、グリップ１２に固定された下側バレル１４の後部両側部に設けられた後部部分である２枚の立ち上がり部１４ａ、１４ｂに支軸７３により揺動可能に取り付けられている。
【００１５】
上記切替機構７２は、図７に最も良く示されているように、下側バレル１４の立ち上がり部１４ａ、１４ｂに設けられた上下方向に延びる長穴７４、７６、上側バレル１６の後部部分１６ａ、１６ｂに設けられた丸穴７８、８０、クリップ板６８の後部部分６８ａ、６８ｂに設けられた上下方向に延びる長穴８２、８４、これらの長穴７４、７６、丸穴７８、８０、長穴８２、８４を通って横方向に延びるスイッチバー８６、およびグリップ１２を形成する壁部１２ａに対向して設けられた開口に配置された一対のプッシュボタン８８、９０（図５、図６参照）を備えている。上記スイッチバー８６およびプッシュボタン８８、９０は、一直線上に並べられ、スイッチバー８６の両端はプッシュボタン８８、９０の内側に接触しているが、後に説明する目的のため、スイッチバー８６はプッシュボタン８８、９０に対して移動できるようになっている。プッシュボタン８８、９０の内側端縁には、環状のフランジ８８ａ、９０ａが設けられていて、該プッシュボタン８８、９０が、グリップ１２外部に飛び出さないようになっている。図５および図６に示したように、この切替機構７２は、グリップ１２の先端部に設けて、グリップ１２の使用者が通常握らない位置にスイッチバー８６が配置されるようにする。
【００１６】
クリップ板６８の後部部分６８ａ、６８ｂは、それぞれグリップ１２の壁部１２ａから内側に僅かな間隔（クリップ板間隔という）をおいて配置されており、スイッチバー８６の長さは、グリップ１２の両側部の壁部１２ａ、１２ａの間の内側の幅より上記のクリップ板間隔（一つの）分短くされており、スイッチバー８６は、グリップ１２の内部で、このクリップ板間隔の分だけ左右（図５および図６において、下側を左、上側を右とする）にストロークできるようになっている。スイッチバー８６の左側へのストロークに対してはプッシュボタン９０がストッパーとして働き、スイッチバー８６の右側へのストロークに対してはプッシュボタン８８がストッパーとして働く。
【００１７】
上記スイッチバー８６は、全体としては細長い丸棒であるが、以下に説明するような３つの縮径部を有している。すなわち、スイッチバー８６は、その右側端部が第１縮径部８６ａとされており、そしてクリップ板６８の厚さ分だけ通常の径となっており、続いて図５に示したように下側バレル１４の立ち上がり部１４ａの厚み分の幅の第２縮径部８６ｂとされている。上記スイッチバー８６には、さらに左側端部にクリップ板６８の後部部分１６ｂの厚み分の通常径部を残し、それに続いて図６に示したようにクリップ板６８の後部部分１６ｂの厚み分の幅の第３縮径部８６ｃとされている。
【００１８】
下側バレル１４の立ち上がり部１４ａ、１４ｂに設けられた上下方向に延びる長穴７４、７６は、上部にスイッチバー８６の通常の径部が納まることのできる丸穴部７４ａ、７６ａを、そしてそこから下方に延び、幅が上記スイッチバー８６の第２および第３縮径部８６ｂ、８６ｃの径より僅かに大きく、通常の径部の径より小さい長穴部７４ｂ、７６ｂを有している（丸穴部７４ａ、長穴部７４ｂについては図示していない）。上側バレル１６の後部部分１６ａ、１６ｂに設けられた丸穴７８、８０は、上部にスイッチバー８６の通常の径部が納まることのできる径を有している。クリップ板６８の後部部分６８ａ、６８ｂに設けられた上下方向に延びる長穴８２、８４は、下部にスイッチバー８６の通常の径部が納まることのできる丸穴部８２ａ、８４ａを、そしてそこから上方に延び、幅が上記スイッチバー８６の第１および第３縮径部８６ａ、８６ｃの径より僅かに大きく、通常の径部の径より小さい長穴部８２ｂ、８４ｂを有している（丸穴部８２ａ、長穴部８２ｂについては図示していない）。本ヘアーアイロン１０の図１に示した状態（全てが閉じた状態）において、長穴７４、７６の丸穴部７４ａ、７６ａ、丸穴７８、８０、長穴８２、８４の丸穴部８２ａ、８４ａは、一直線上に整列される。
【００１９】
つぎに、図５および図６を参照して、図２に示したように上側バレル１６（クリップ板６８は一体的になる）を下側バレル１４に対して上方に揺動させることができるようにするストレーター機能設定位置、および図５に示したようにクリップ板６８を上側バレル１６（下側バレル１４は一体的になる）に対して上方に揺動させることができるようにするカール機能設定位置について説明する。
【００２０】
先ず、ストレーター機能設定位置について説明する。このストレーター機能設定位置は、左側のプッシュボタン９０を押し込むことにより行われる。このプッシュボタン９０の押し込みにより、スイッチバー８６は右方向に移動し、これとともにプッシュボタン８８はグリップ１２から突出するが、プッシュボタン８８のフランジ８８ａの作用により、プッシュボタン８８およびスイッチバー８６は、図５に示した位置でストップする。
【００２１】
スイッチバー８６は図５に示す位置では、その通常の径部がクリップ板６８の長穴８２、８４の丸穴部８２ａ、８４ａの位置に位置する一方、第２縮径部８６ｂおよび第３縮径部８６ｃが下側バレル１４の長穴７４、７６の位置に位置する。従って、レバー７０を下方に回動すると、スイッチバー８６の第２縮径部８６ｂおよび第３縮径部８６ｃが下側バレル１４の長穴７４、７６の長穴部７４ｂ、７６ｂに入り込んで下方に移動することにより、上側バレル１６がクリップ板６８を伴って上方に揺動させられ、図２の位置を取る。使用者は、この位置で毛髪を下側バレル１４および上側バレル１６の間に位置させ、レバー７０を離すことにより、上側バレル１６がバネの作用により自動的に下方に揺動して閉じ、下側バレル１４および上側バレル１６で毛髪を挟み込んで、ヘアーアイロン１０がストレーター機能を発揮できるようになる。
【００２２】
次に、カール機能設定位置について説明する。このカール機能設定位置は、右側のプッシュボタン８８を押し込むことにより行われる。このプッシュボタン８８の押し込みにより、スイッチバー８６は左方向に移動し、これとともにプッシュボタン９０はグリップ１２から突出するが、プッシュボタン９０のフランジ９０ａの作用により、プッシュボタン９０およびスイッチバー８６は、図６に示した位置でストップする。
【００２３】
スイッチバー８６は図６に示す位置では、その通常の径部が下側バレル１４の長穴７４、７６の丸穴部７４ａ、７６ａの位置に位置する一方、第１縮径部８６ａおよび第３縮径部８６ｃがクリップ板６８の長穴８２、８４の位置に位置する。従って、レバー７０を下方に回動すると、スイッチバー８６の第１縮径部８６ａおよび第３縮径部８６ｃがクリップ板６８の長穴８２、８４の長穴部８２ｂ、８４ｂに入り込んで下方に移動することにより、クリップ板６８のみが上方に揺動させられ、図４の位置を取る。使用者は、この位置で毛髪をクリップ板６８および上側バレル１６の間に位置させ、レバー７０を離すことにより、クリップ板６８がバネの作用により自動的に下方に揺動して閉じ、クリップ板６８および上側バレル１６で毛髪を挟み込んで、ヘアーアイロン１０がカール機能を発揮できるようになる。
【００２４】
以上の切替機構７２によれば、一つの操作部でストレーター機能設定位置およびカール機能設定位置に設定切り替えができ、使用者が操作しやすいという利点がある。また、ストレーター機能設定位置およびカール機能設定位置での開閉機構を１つに集約したことで、部品を少なくし、サイズをコンパクトにすることが可能となった。さらに、スイッチバーを通常握らない部分に配置したことで、誤動作を抑制することができるようになった。
【００２５】
前記下側バレル１４は、金属特にアルミニウム合金で形成され、図３に示したように、バレルの長手方向に該バレルのほぼ全長に亘って延びる骨格材２６、および合成樹脂（例えばナイロン等の断熱性の良いものが好ましい）で形成され、前記骨格材２６に沿って延びる第１および第２バレルバー２８、３０を備えている。
【００２６】
前記骨格材２６は、垂直部３２と、この垂直部３２の上端に形成され、前記下側バレル１４の接合面１８を構成する第１水平部３４と、前記垂直部３２の下端に形成され、該下側バレル１４の外周面２０の一部を構成する第２水平部３６を有している。
【００２７】
前記第１および第２バレルバー２８、３０は、それぞれ前記骨格材２６の垂直部３２の両側と第１水平部３４と第２水平部３６で囲まれた空間に配置されており、横断面形状はほぼ台形をしている。前記第１および第２バレルバーの外部に露出した面は、下側バレル１４の外周面の残部（一部は上記したように前記第２水平部３６が構成している）を構成している。したがって、この外部に露出した面は、湾曲している。
【００２８】
ヘアーアイロン１０は、マイナスイオン発生装置を備えている。このマイナスイオン発生装置は、前記第１および第２バレルバー２８、３０に埋設され、それぞれ該バレルバーに沿ってほぼ水平に延びる細長い第１および第２イオン放電板３８、４０（図８参照）を有している。これらの第１および第２イオン放電板３８、４０の外方を向いた側縁には、それぞれ間隔を置いて配置され、バレル外方に向いたマイナスイオン放出用の複数の針状突起４２、４４が設けられている。これらの針状突起は、一枚のイオン放電板について、図示したように３個程度設けることが好ましい。
【００２９】
前記第１および第２バレルバー２８、３０の少なくとも前記針状突起４２、４４が配置された部分には、図３に示されているように開口４６、４８によりバレル外部に開放した空間５０、５２が設けられて、前記針状突起４２、４４が発生したマイナスイオンをバレル外部に放出するようになっている。
【００３０】
また、前記グリップ１２の先端中央部には、マイナスイオンを放出するための針状電極５４が露出した状態で配置されている（図８参照）。この針状電極５４は、下側バレル１４の接合面１８と上側バレル１６の接合面２０の間にマイナスイオンを吹き出すためのものである。上側バレル１６の接合面２０のバレル幅方向中央には、バレルのほぼ全長に亘って延びる断面半円径の溝状凹部５６（図３参照）が形成されていることが好ましい。この凹部５６により、下側バレル１４の接合面１８と上側バレル１６の接合面２０の間に、バレルのほぼ全長に亘って延びる空間５８が形成され、針状電極５４から放出されたマイナスイオンが、この空間５８を通ってバレルの先端まで届くようになる。この針状電極５４からのマイナスイオンは、主としてストレーター機能時に、下側バレルと上側バレルの間に挟まれた毛髪に作用する。
【００３１】
前記第１および第２イオン放電板３８、４０および針状電極５４は、それぞれリード６０、６２、６４を介して高電圧発生装置６６に接続されており、この高電圧発生装置６６から高電圧を供給されて、マイナスイオンを発生するようになっている。上記したように、針状電極５４からのマイナスイオンは、主としてストレーター機能時に、下側バレルと上側バレルの間に挟まれた毛髪に作用し、第１および第２イオン放電板３８、４０の針状突起４２、４４からのマイナスイオンは、主としてカール機能時に、下側バレルと上側バレルの周りに巻かれた毛髪に作用する。針状突起４２、４４からのマイナスイオンは、また、ストレーター機能時に、下側バレルと上側バレルの間に挟まれてスライドさせられる毛髪にアイロン部の前後で作用する。
【００３２】
以上説明したマイナスイオン発生装置によれば、上記したように、上記バレルの長手方向に沿って延びるイオン放電板に長手方向に間隔を置いて配置した複数の針状電極からマイナスイオンを放出するようにしているので、上記バレルの長手方向に拡がった毛髪全体にマイナスイオンが行き渡るという効果がある。また、針状電極の周囲が比較的温度の低い合成樹脂で囲まれており、発生したマイナスイオンが高温の部材に接触しないので、マイナスイオンが破壊されることなく、効率的に毛髪まで到達し、効率がよい。
【００３３】
以上説明した本発明のヘアーアイロンによれば、グリップがカール時、ストレート時において変化しないため、持ち替えることなく切り替えができ、切り替えによるヘアーセットがスムーズに移行できる。
【図面の簡単な説明】
【００３４】
【図１】本発明の実施の形態によるヘアーアイロンの全体構造を説明するための側面図である。
【図２】上側バレルを開いた状態で示した図１に示したヘアーアイロンの側面図である。
【図３】本発明の実施の形態によるヘアーアイロンのアイロン部の断面図である。
【図４】クリップ板を開いた状態で示した図１に示したヘアーアイロンの側面図である。
【図５】本発明の実施の形態によるヘアーアイロンの切替機構のストレーター機能設定位置での状態を示す水平断面図である。
【図６】本発明の実施の形態によるヘアーアイロンの切替機構のカール機能設定位置での状態を示す水平断面図である。
【図７】本発明の実施の形態によるヘアーアイロンの切替機構を説明するための分解図である。
【図８】本発明の実施の形態によるヘアーアイロンのマイナスイオン発生装置を説明するための模式図である。
【符号の説明】
【００３５】
１０  ヘアーアイロン
１２  グリップ
１４  下側バレル
１４ａ  立ち上がり部
１４ｂ  立ち上がり部
１６  上側バレル
１６ａ  後部部分
１６ｂ  後部部分
１８  接合面
２０  接合面
２２  外周面
２４  外周面
２６  骨格材
２８  第１バレルバー
３０  第２バレルバー
３２  垂直部
３４  第１水平部
３６  第２水平部
３８  第１イオン放電板
４０  第２イオン放電板
４２  針状突起
４４  針状突起
４６  開口
４８  開口
５０  空間
５２  空間
５４  針状電極
５６  凹部
５８  空間
６０  リード
６２  リード
６４  リード
６６  高電圧発生装置
６８  クリップ板
６８ａ  後部部分
６８ｂ  後部部分
７０  レバー
７２  切替機構
７３  支軸
７４  長穴
７４ａ  丸穴部
７４ｂ  長穴部
７６  長穴
７６ａ  丸穴部
７６ｂ  長穴部
７８  丸穴
８０  丸穴
８２  長穴
８２ａ  丸穴部
８２ｂ  長穴部
８４  長穴
８４ａ  丸穴部
８４ｂ  長穴部
８６  スイッチバー
８６ａ  第１縮径部
８６ｂ  第２縮径部
８６ｃ  第３縮径部
８８  プッシュボタン
８８ａ  フランジ
９０  プッシュボタン
９０ａ  フランジ
【図１】
0005114139.tif 000002
【図２】
0005114139.tif 000003
【図３】
0005114139.tif 000004
【図４】
0005114139.tif 000005
【図５】
0005114139.tif 000006
【図６】
0005114139.tif 000007
【図７】
0005114139.tif 000008
【図８】
0005114139.tif 000009